(57)【特許請求の範囲】
【請求項１】
ワイヤハーネスを貫通させたグロメットにおけるワイヤハーネス貫通部のシール状態を検査するシール検査装置であって、
エアタンクと、該エアタンクの上方に隔壁を介して連設されるグロメット取付部を備えると共に前記隔壁より下方に水面を有した状態で水が貯留される貯水部を備えた貯水タンクと、前記隔壁に形成されて前記グロメットが前記ワイヤハーネス貫通部を前記貯水タンク側に配置した状態で嵌合される取付穴と、前記エアタンクに加圧空気の供給と排気を行う給排気手段と、前記シール状態の検査時に前記ワイヤハーネス貫通部が浸水するように前記貯水部内の水中に出し入れ自在に設けられた所定体積のスペーサとを備えたことを特徴とするグロメットのシール検査装置。
【発明の詳細な説明】
【０００１】
【発明の属する技術分野】
本発明は、ワイヤハーネスを貫通させたグロメットにおけるワイヤハーネス貫通部のシール状態を検査するグロメットのシール検査装置に関するものである。
【０００２】
【従来の技術】
従来のグロメットのシール検査装置としては、例えば特開２０００−２４１２８８に開示されたシール検査装置がある。
このシール検査装置１は、図３に要部概略構成図を示したように、エアタンク２の上方に隔壁４を介して貯水タンク３が連設されている。前記隔壁４には、前記エアタンク２と前記貯水タンク３を連通させるように、前記貯水タンク３側からのグロメット１０の嵌合を可能とした取付孔５が形成される。
【０００３】
前記エアタンク２には、給排気パイプ６を介して加圧空気の供給と排出とを行う図示しない給排気手段が接続されている。前記貯水タンク３には、給排水パイプ８を介して水の供給と排出とを行う図示しない給排水手段が接続されている。
前記グロメット１０は、全体として略円錐形を成すゴム製であり、その円錐の頂部を上に向けた姿勢で、シール検査装置１にセットされる。前記グロメット１０の大径端側の外周面には、周方向の取付溝１３が形成されている。又、円錐の頂部となる位置には、貫通孔１１が形成されており、ワイヤハーネスＷ／Ｈが貫通されている。
【０００４】
そして、グロメット１０の貫通孔１１に貫通されるワイヤハーネスＷ／Ｈの部位は、シール液により各電線間の隙間が水密状態にシールされると共に、そのシール箇所にウレタンシート１２やテープＴが巻き付けられ、前記貫通孔１１が形成された筒状部分との間で止水処置が施されている。
【０００５】
そこで、前記シール検査装置１を用いて、前記グロメット１０におけるワイヤハーネス貫通部のシール状態を検査する場合には、先ず、グロメット１０の取付溝１３を取付孔５の周縁に水密状態に嵌合し、その円錐の頂部を上に向けた姿勢でセットする。
そして、図示しない給排気手段から給排気パイプ６を介してエアタンク２内に加圧空気が供給され、次に、図示しない給排水手段から給排水パイプ８を介して貯水タンク３内に水が供給される。
【０００６】
この状態で、貯水タンク３内を観察することにより、シール検査が行われる。もし、電線の隙間やワイヤハーネスＷ／Ｈとグロメット１０との隙間のシールが不十分であるときには、エアタンク２内の加圧空気がこれらのシール不良部分を通って貯水タンク３内の水中に漏れ出し、気泡となって浮上する。シールが正常であれば、気泡は発生しない。即ち、貯水タンク３内の気泡の有無によりシール性の良・不良を判断するものである。
【０００７】
【発明が解決しようとする課題】
しかしながら、前述した従来のグロメットのシール検査装置１は、前記貯水タンク３に対する給排水システムの制御、操作及び保守が複雑であり、かつ水の入れ換えに多くの時間を費やすと言う問題があった。
従って、本発明の目的は上記課題を解消することに係り、比較的コンパクトな構成で効率よくグロメットのシール性を検査することが可能なグロメットのシール検査装置を提供することである。
【０００８】
【課題を解決するための手段】
本発明の上記目的は、ワイヤハーネスを貫通させたグロメットにおけるワイヤハーネス貫通部のシール状態を検査するシール検査装置であって、
エアタンクと、該エアタンクの上方に隔壁を介して連設されるグロメット取付部を備えると共に前記隔壁より下方に水面を有した状態で水が貯留される貯水部を備えた貯水タンクと、前記隔壁に形成されて前記グロメットが前記ワイヤハーネス貫通部を前記貯水タンク側に配置した状態で嵌合される取付穴と、前記エアタンクに加圧空気の供給と排気を行う給排気手段と、前記シール状態の検査時に前記ワイヤハーネス貫通部が浸水するように前記貯水部内の水中に出し入れ自在に設けられた所定体積のスペーサとを備えたことを特徴とするグロメットのシール検査装置によって達成される。
【０００９】
上記構成によれば、スペーサが貯水タンクにおける貯水部の水中に水没させられると、該スペーサの体積に応じて水位がグロメット取付部まで上昇し、前記ワイヤハーネス貫通部が浸水される。また、水没させられた前記スペーサが前記貯水部の水中から出されると、水位が前記貯水部まで下降して元の水位に戻るため、前記グロメットが水中から露出する。
そこで、前記スペーサを貯水タンクにおける貯水部の水中に出し入れして水位を調整するだけで良く、シール状態の検査時毎に貯水タンクから水を出し入れしないで済む。
【００１４】
【発明の実施の形態】
以下、添付図面に基づいて本発明の実施形態におけるグロメットのシール検査装置を詳細に説明する。
図１は本発明の実施形態に係るグロメットのシール検査装置を示す概略断面図、そして図２は図１に示したシール検査装置の検査時の状態を示す概略断面図である。尚、図３に示したシール検査装置１と実質的に同様の構成部分やグロメットは、同符号を付して詳細な説明を省略する。
【００１５】
本発明の実施形態に係るグロメットのシール検査装置２１における貯水タンク３は、図１に示したように、エアタンク２の上方に隔壁４を介して連設されるグロメット取付部２６を備えると共に、エアタンク２の給排気パイプ６と反対側の側部に貯水部２２を備える。そして、前記貯水部２２には、隔壁４（グロメット１０の取付位置）より下方に水面を有した状態で水が貯留される。
【００１６】
前記貯水部２２の水面上には、所定体積のスペーサ２３が配置されており、該スペーサ２３はエアシリンダ装置２４等の駆動手段によって、上下方向に移動可能とされている。
そして、エアシリンダ装置２４の伸長駆動により、スペーサ２３が下方に移動して貯水部２２内の水中に水没させられると、図２に示したように、該スペーサ２３の体積に応じて水位がグロメット取付部２６まで上昇し、前記ワイヤハーネス貫通部２５が浸水される。
【００１７】
また、前記エアシリンダ装置２４の収縮駆動により、水没させられたスペーサ２３を上方に移動させて貯水部２２の水中から出すと、該スペーサ２３の体積に応じて水位が前記貯水部２２まで下降して元の水位に戻るため、図１に示したように、前記グロメット１０が水中から露出する。
【００１８】
そこで、前記シール検査装置２１を用いてグロメット１０におけるワイヤハーネス貫通部２５のシール状態を検査する場合には、先ず、グロメット１０の取付溝１３を取付孔５の周縁に水密状態に嵌合し、その円錐の頂部を上に向けた姿勢でセットする。
そして、図示しない給排気手段から給排気パイプ６を介してエアタンク２内に加圧空気が供給される。次に、エアシリンダ装置２４の伸長駆動により、スペーサ２３を下方に移動して貯水部２２の水中に水没させると、水位がグロメット取付部２６まで上昇し、前記ワイヤハーネス貫通部２５が浸水される。
【００１９】
この状態で、貯水タンク３内を観察することにより、シール検査が行われる。もし、電線の隙間やワイヤハーネスＷ／Ｈとグロメット１０との隙間のシールが不十分であるときには、エアタンク２内の加圧空気がこれらのシール不良部分を通って貯水タンク３内の水中に漏れ出し、気泡となって浮上する。シールが正常であれば、気泡は発生しない。即ち、貯水タンク３内の気泡の有無によりシール性の良・不良を判断する。
【００２０】
そして、検査終了後は、シリンダ装置２４の収縮駆動により、スペーサ２３を上方に移動して貯水部２２内の水中から出すと、水位が前記貯水部２２まで下降して元の水位に戻るため、前記グロメット１０が水中から露出する。この後、グロメット１０を取付孔５から外せばよい。
【００２１】
即ち、本実施形態のシール検査装置２１によれば、エアシリンダ装置等の簡単な駆動手段でスペーサ２３を上下動させ、該スペーサ２３を貯水部２２内の水中に出し入れして水位を調整するだけで良く、図３に示した従来のシール検査装置１のような大掛かりな給排水手段が必要なくなる。
そこで、シール状態の検査時毎に貯水タンク３から水を出し入れしないで済むので、貯水タンク３内の水の入れ換えに要する時間を大幅に削減することができ、作業性に優れる。
【００２２】
従って、本実施形態のシール検査装置２１は、装置構成が従来のシール検査装置１に比べて大幅にコンパクトになると共に、短時間に効率よくグロメット１０のシール性を検査することができるので、ワイヤハーネスＷ／Ｈの製造工程でのタクトに合わせたシール検査が可能となる。
【００３７】
尚、本発明のグロメットのシール検査装置は、上記実施形態の構成に限定されるものではなく、本発明の趣旨に基づいて種々の形態を採り得ることは言うまでもない。
【００３８】
【発明の効果】
以上、上述した本発明の請求項１に係るグロメットのシール検査装置によれば、スペーサが貯水タンクにおける貯水部の水中に水没させられると、該スペーサの体積に応じて水位がグロメット取付部まで上昇し、前記ワイヤハーネス貫通部が浸水される。また、水没させられた前記スペーサが前記貯水部の水中から出されると、水位が前記貯水部まで下降して元の水位に戻るため、前記グロメットが水中から露出する。
そこで、前記スペーサを貯水タンクにおける貯水部の水中に出し入れして水位を調整するだけで良く、シール状態の検査時毎に貯水タンクから水を出し入れしないで済む。
【００４１】
従って、従来のシール検査装置のような大掛かりな給排水手段が必要なくなると共に、貯水タンク内の水の入れ換えに要する時間を大幅に短縮することができ、比較的コンパクトな構成で効率よくグロメットのシール性を検査することが可能なグロメットのシール検査装置を提供できる。
【図面の簡単な説明】
【図１】  本発明の実施形態に係るグロメットのシール検査装置を示す概略断面図である。
【図２】  図１に示したシール検査装置の検査時の状態を示す概略断面図である。
【図３】  従来のグロメットのシール検査装置の要部概略構成図である。
【符号の説明】
２    エアタンク
３    貯水タンク
４    隔壁
５    取付穴
１０    グロメット
２１    グロメットのシール検査装置
２２    貯水部
２３    スペーサ
２５    ワイヤハーネス貫通部
２６    グロメット取付部
Ｗ／Ｈ  ワイヤハーネス
【図１】
0003907163.tif 000002
【図２】
0003907163.tif 000003
【図３】
0003907163.tif 000004